(57)【要約】      （修正有）【課題】シートに書き込んだ内容を１ページ分のデータとして確定し記録する。【解決手段】電子ペンシステムは、コード化パターンを読取り、手書きストロークに関する記入情報を生成する電子ペンと、電子ペンから記入情報を受信するコンピュータ装置と、コード化パターンが印刷され、電子ペンにより記入がなされる記入エリアと、記入エリアに記入された内容を確定するための確定マークとを有するシートとを備える。電子ペンは、記入エリアに付されたコード化パターンを読み取った場合に、当該コード化パターンに基づく記入情報を記憶する記憶手段と、確定マークに付されたコード化パターンを読み取った場合に、記憶手段に記憶された記入情報をコンピュータ装置に送信する送信手段とを備え、コンピュータ装置は、電子ペンから送信された記入情報に基づき、手書きストロークを再現した１ページ分の表示情報を生成して記憶する処理手段を備える。【選択図】図１
2013134592.tif 000002
【特許請求の範囲】
【請求項１】
コード化パターンを読取り、手書きストロークに関する記入情報を生成する電子ペンと、
前記電子ペンから前記記入情報を受信するコンピュータ装置と、
コード化パターンが印刷され、前記電子ペンにより記入がなされる記入エリアと、前記記入エリアに記入された内容を確定するための確定マークとを有するシートと
を備える電子ペンシステムであって、
前記電子ペンは、
前記記入エリアに付されたコード化パターンを読み取った場合に、当該コード化パターンに基づく記入情報を記憶する記憶手段と、
前記確定マークに付されたコード化パターンを読み取った場合に、前記記憶手段に記憶された記入情報を前記コンピュータ装置に送信する送信手段とを備え、
前記コンピュータ装置は、
前記電子ペンから送信された記入情報に基づき、手書きストロークを再現した１ページ分の表示情報を生成して記憶する処理手段
を備えることを特徴とする電子ペンシステム。
【請求項２】
前記コンピュータ装置の前記処理手段は、
前記記入情報を受信した場合、前記記入情報に基づく手書きストロークを描画した画像データを生成し、当該画像データに通し番号であるページ番号を設定したスライドの情報を、前記１ページ分の表示情報として記憶することを特徴とする請求項１に記載の電子ペンシステム。
【請求項３】
前記コンピュータ装置の前記処理手段は、
前記記入情報を受信した後、前記電子ペンに所定の信号を送信し、
前記電子ペンの前記記憶手段は、前記所定の信号を前記電子ペンが受信した場合に、記憶した記入情報を削除することを特徴とする請求項１または２に記載の電子ペンシステム。
【請求項４】
前記コンピュータ装置の前記処理手段は、
前記記入情報を受信した後、前記電子ペンに所定の信号を送信し、
前記電子ペンの前記記憶手段は、前記所定の信号を前記電子ペンが受信した場合に、記憶した記入情報に上書き可能である旨のフラグを付し、
前記送信手段は、前記確定マークに付されたコード化パターンを読み取った場合に、前記記憶手段に記憶された記入情報のうち、前記フラグが付されていない記入情報を前記コンピュータ装置に送信することを特徴とする請求項１または２に記載の電子ペンシステム。
【請求項５】
前記シートは、１又は複数の記入エリアをそれぞれ有する複数のシート領域が設けられ、
前記電子ペンの前記送信手段は、
読み取ったコード化パターンが示す記入エリアが属するシート領域と、前回読み取ったコード化パターンが示す記入エリアが属するシート領域とが異なる場合、前記記憶手段に記憶された記入情報を前記コンピュータ装置に送信することを特徴とする請求項１乃至４のいずれか一項に記載の電子ペンシステム。
【請求項６】
前記記入エリアの各々に対し確定マークが設けられ、
前記コンピュータ装置の前記処理手段は、
前記確定マークが前記電子ペンにより選択されたことにより、複数の記入エリアへの記入情報を受信したときには、選択された前記確定マークに対応する記入エリアへの記入情報に基づき、手書きストロークを再現した１ページ分の表示情報を生成することを特徴とする請求項５に記載の電子ペンシステム。
【請求項７】
前記コンピュータ装置の前記処理手段は、
前記確定マークが前記電子ペンにより選択されていない場合に、複数の記入エリアに対する記入情報を受信したときには、
前記複数の記入エリアの各々に対応する記入エリアへの記入情報に基づく手書きストロークを描画した画像データを生成し、当該画像データの各々に通し番号であるページ番号を設定したスライドの情報を、前記１ページ分の表示情報としてそれぞれ生成することを特徴とする請求項５または６に記載の電子ペンシステム。
【請求項８】
前記記入情報は、時刻情報を含み、
前記コンピュータ装置の前記処理手段は、
前記複数の記入エリアの各々の記入情報に含まれる時刻情報に基づき、前記複数の記入エリアの各々に対して通し番号であるページ番号を設定することを特徴とする請求項７に記載の電子ペンシステム。
【請求項９】
前記コンピュータ装置の前記処理手段は、
前記記入情報を受信した後、前記電子ペンに所定の信号と、前記表示情報の生成に用いた記入情報を特定する情報とを同時又は異なるタイミングで前記電子ペンに送信し、
前記電子ペンの前記記憶手段は、前記所定の信号を受信した場合に、前記記入情報を特定する情報から特定される前記記憶手段に記憶された記入情報を削除することを特徴とする請求項６乃至８のいずれか一項に記載の電子ペンシステム。
【請求項１０】
前記シートを有し、前面に向ける前記シート領域を切り替え可能なボードを備えることを特徴とする請求項５乃至９のいずれか一項に記載の電子ペンシステム。
【請求項１１】
前記電子ペンの前記送信手段は、
前記記入情報と共に、ページを確定する旨の情報を前記コンピュータ装置へ送信し、
前記コンピュータ装置の前記処理手段は、
前記ページを確定する旨の情報を受信した場合に、当該ページを確定する旨の情報と共に受信した記入情報に基づき、手書きストロークを再現した１ページ分の表示情報を生成することを特徴とする請求項１乃至１０のいずれか一項に記載の電子ペンシステム。
【請求項１２】
前記電子ペンの前記送信手段は、
通し番号であるページ番号を、前記ページを確定する旨の情報に含めて前記コンピュータ装置へ送信し、
前記コンピュータ装置の前記処理手段は、前記記入情報に基づく手書きストロークを描画した画像データを生成し、当該画像データに受信した前記ページ番号を設定したスライドの情報を、前記１ページ分の表示情報として記憶することを特徴とする請求項１乃至１１のいずれか一項に記載の電子ペンシステム。
【請求項１３】
コード化パターンを読取り、手書きストロークに関する記入情報を生成する電子ペンと、
前記電子ペンから前記記入情報を受信するコンピュータ装置と、
コード化パターンが印刷され、１又は複数の記入エリアをそれぞれ有する複数のシート領域を有するシートと
を備える電子ペンシステムであって、
前記電子ペンは、
前記記入エリアに付されたコード化パターンを読み取った場合に、当該コード化パターンに基づく記入情報を記憶する記憶手段と、
読み取ったコード化パターンが示す記入エリアが属するシート領域と、前回読み取ったコード化パターンが示す記入エリアが属するシート領域とが異なる場合、前記記憶手段に記憶された記入情報を前記コンピュータ装置に送信する送信手段と
を備え、
前記コンピュータ装置は、
前記電子ペンから送信された記入情報に基づき、当該記入情報が示す記入エリアの各々に対し、手書きストロークを再現した１ページ分の表示情報を生成して記憶する処理手段を備えることを特徴とする電子ペンシステム。
【請求項１４】
コンピュータ装置と、
コード化パターンを読取り、手書きストロークに関する記入情報を生成し、生成した記入情報を即時に前記コンピュータ装置に送信する電子ペンと、
コード化パターンが印刷され、前記電子ペンにより記入がなされる記入エリアと、前記記入エリアに記入された内容を確定するための確定マークとを有するシートとを備える電子ペンシステムであって、
前記コンピュータ装置は、
前記電子ペンから送信された記入情報を記憶する記憶手段と、
前記確定マークが前記電子ペンにより選択されたと判断した場合に、前記記憶手段に記憶した記入情報のうち、前記確定マークに対応する記入エリアへの記入情報に基づき、手書きストロークを再現した１ページ分の表示情報を生成して記憶する処理手段と
を備えることを特徴とする電子ペンシステム。
【請求項１５】
コンピュータ装置と、
コード化パターンを読取り、手書きストロークに関する記入情報を生成し、生成した記入情報を即時に前記コンピュータ装置に送信する電子ペンと、
コード化パターンが印刷され、１又は複数の記入エリアをそれぞれ有する複数のシート領域を有するシートと
を備える電子ペンシステムであって、
前記コンピュータ装置は、
前記電子ペンから送信された記入情報を記憶する記憶手段と、
受信した記入情報が示す記入エリアが属するシート領域と、前回受信した記入情報が示す記入エリアが属するシート領域とが異なる場合、
前記記憶手段に記憶された記入情報に基づき、当該記入情報が示す記入エリアの各々に対し、手書きストロークを再現した１ページ分の表示情報を生成して記憶する処理手段と
を備えることを特徴とする電子ペンシステム。
【請求項１６】
コード化パターンを読取り、手書きストロークに関する記入情報を生成する電子ペンと、
前記電子ペンから前記記入情報を受信するコンピュータ装置と、
コード化パターンが印刷され、前記電子ペンにより記入がなされる記入エリアと、前記記入エリアに記入された内容を確定するための確定マークとを有するシートとを備え、
前記電子ペンは、前記記入エリアに付されたコード化パターンを読み取った場合に、当該コード化パターンに基づく記入情報を記憶する記憶手段と、前記確定マークに付されたコード化パターンを読み取った場合に、前記記憶手段に記憶された記入情報を前記コンピュータ装置に送信する送信手段とを有する電子ペンシステムの前記コンピュータ装置に搭載され記憶されるプログラムであって、
前記電子ペンから送信された記入情報に基づき、手書きストロークを再現した１ページ分の表示情報を生成して記憶する処理手段
として前記コンピュータ装置を機能させることを特徴とするプログラム。
【請求項１７】
前記処理手段は、
前記記入情報を受信した場合、前記記入情報に基づく手書きストロークを描画した画像データを生成し、当該画像データに通し番号であるページ番号を設定したスライドの情報を、前記１ページ分の表示情報として記憶することを特徴とする請求項１６に記載のプログラム。
【請求項１８】
前記処理手段は、
前記記入情報を受信した後、前記電子ペンに所定の信号を送信し、
前記電子ペンの前記記憶手段は、前記所定の信号を前記電子ペンが受信した場合に、記憶した記入情報を削除することを特徴とする請求項１６または１７に記載のプログラム。
【請求項１９】
前記処理手段は、前記記入情報を受信した後、前記電子ペンに所定の信号を送信し、
前記電子ペンの前記記憶手段は、前記所定の信号を前記電子ペンが受信した場合に、記憶した記入情報に上書き可能である旨のフラグを付し、
前記送信手段は、前記確定マークに付されたコード化パターンを読み取った場合に、前記記憶手段に記憶された記入情報のうち、前記フラグが付されていない記入情報を前記コンピュータ装置に送信する
ことを特徴とする請求項１６乃至１８のいずれか一項に記載のプログラム。
【請求項２０】
前記シートは、１又は複数の記入エリアをそれぞれ有する複数のシート領域が設けられ、
前記電子ペンの前記送信手段は、
読み取ったコード化パターンが示す記入エリアが属するシート領域と、前回読み取ったコード化パターンが示す記入エリアが属するシート領域とが異なる場合、前記記憶手段に記憶された記入情報を前記コンピュータ装置に送信し、
前記処理手段は、
前記電子ペンから送信された記入情報に基づき、手書きストロークを再現した１ページ分の表示情報を生成して記憶することを特徴とする請求項１６乃至１９のいずれか一項に記載のプログラム。
【請求項２１】
前記記入エリアの各々に対し確定マークが設けられ、
前記処理手段は、
前記確定マークが前記電子ペンにより選択されたことにより、複数の記入エリアへの記入情報を受信したときには、選択された前記確定マークに対応する記入エリアへの記入情報に基づき、手書きストロークを再現した１ページ分の表示情報を生成することを特徴とする請求項２０に記載のプログラム。
【請求項２２】
前記処理手段は、
前記確定マークが前記電子ペンにより選択されていない場合に、複数の記入エリアに対する記入情報を受信したときには、
前記複数の記入エリアの各々に対応する記入エリアへの記入情報に基づく手書きストロークを描画した画像データを生成し、当該画像データの各々に通し番号であるページ番号を設定したスライドの情報を、前記１ページ分の表示情報としてそれぞれ生成することを特徴とする請求項２０または２１に記載のプログラム。
【請求項２３】
前記記入情報は、時刻情報を含み、
前記処理手段は、
前記複数の記入エリアの各々の記入情報に含まれる時刻情報に基づき、前記複数の記入エリアの各々に対して通し番号であるページ番号を設定することを特徴とする請求項２２に記載のプログラム。
【請求項２４】
前記処理手段は、
前記記入情報を受信した後、前記電子ペンに所定の信号と、前記表示情報の生成に用いた記入情報を特定する情報とを同時又は異なるタイミングで前記電子ペンに送信し、
前記電子ペンの前記記憶手段は、前記所定の信号を受信した場合に、前記記入情報を特定する情報から特定される前記記憶手段に記憶された記入情報を削除することを特徴とする請求項２０乃至２３のいずれか一項に記載のプログラム。
【請求項２５】
前記電子ペンの前記送信手段は、
前記記入情報と共に、ページを確定する旨の情報を前記コンピュータ装置へ送信し、
前記処理手段は、
前記ページを確定する旨の情報を受信した場合に、当該ページを確定する旨の情報と共に受信した記入情報に基づき、手書きストロークを再現した１ページ分の表示情報を生成することを特徴とする請求項１６乃至２４のいずれか一項に記載のプログラム。
【請求項２６】
前記電子ペンの前記送信手段は、
通し番号であるページ番号を、前記ページを確定する旨の情報に含めて前記コンピュータ装置へ送信し、
前記処理手段は、前記記入情報に基づく手書きストロークを描画した画像データを生成し、当該画像データに受信した前記ページ番号を設定したスライドの情報を、前記１ページ分の表示情報として記憶することを特徴とする請求項１６乃至２５のいずれか一項に記載のプログラム。
【請求項２７】
コード化パターンを読取り、手書きストロークに関する記入情報を生成する電子ペンと、
前記電子ペンから前記記入情報を受信するコンピュータ装置と、
コード化パターンが印刷され、１又は複数の記入エリアをそれぞれ有する複数のシート領域を有するシートとを備え
記電子ペンは、前記記入エリアに付されたコード化パターンを読み取った場合に、当該コード化パターンに基づく記入情報を記憶する記憶手段と、読み取ったコード化パターンが示す記入エリアが属するシート領域と、前回読み取ったコード化パターンが示す記入エリアが属するシート領域とが異なる場合、前記記憶手段に記憶された記入情報を前記コンピュータ装置に送信する送信手段とを有する電子ペンシステムの前記コンピュータ装置に搭載され実行されるプログラムであって、
前記電子ペンから送信された記入情報に基づき、当該記入情報が示す記入エリアの各々に対し、手書きストロークを再現した１ページ分の表示情報を生成して記憶する処理手段
として前記コンピュータ装置を機能させることを特徴とするプログラム。
【請求項２８】
コンピュータ装置と、
コード化パターンを読取り、手書きストロークに関する記入情報を生成し、生成した記入情報を即時に前記コンピュータ装置に送信する電子ペンと、
コード化パターンが印刷され、前記電子ペンにより記入がなされる記入エリアと、前記記入エリアに記入された内容を確定するための確定マークとを有するシートとを備える電子ペンシステムの前記コンピュータ装置に搭載され実行されるプログラムであって、
前記電子ペンから送信された記入情報を記憶する記憶手段と、
前記確定マークが前記電子ペンにより選択されたと判断した場合に、前記記憶手段に記憶した記入情報のうち、前記確定マークに対応する記入エリアへの記入情報に基づき、手書きストロークを再現した１ページ分の表示情報を生成して記憶する処理手段
として前記コンピュータ装置を機能させることを特徴とするプログラム。
【請求項２９】
コンピュータ装置と、
コード化パターンを読取り、手書きストロークに関する記入情報を生成し、生成した記入情報を即時に前記コンピュータ装置に送信する電子ペンと、
コード化パターンが印刷され、１又は複数の記入エリアをそれぞれ有する複数のシート領域を有するシートと
を備える電子ペンシステムの前記コンピュータ装置に搭載され実行されるプログラムであって、
前記電子ペンから送信された記入情報を記憶する記憶手段と、
受信した記入情報が示す記入エリアが属するシート領域と、前回受信した記入情報が示す記入エリアが属するシート領域とが異なる場合、
前記記憶手段に記憶された記入情報に基づき、当該記入情報が示す記入エリアの各々に対し、手書きストロークを再現した１ページ分の表示情報を生成して記憶する処理手段
として前記コンピュータ装置を機能させることを特徴とするプログラム。
【発明の詳細な説明】
【技術分野】
【０００１】
本発明は、電子ペンで読み取り可能なコード化パターンを利用したシステムに関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１に記載されているように、アノトペンは、用紙に印刷された所定のドットパターンを読み取って記入情報を生成し、当該記入情報を端末装置に送信する。
【０００３】
特許文献２には、ドットパターンに対向する電子ペンの角度に起因するドットの画像上の配列を補正する回転補正処理機能が記載されている。さらに、特許文献３には、容易に筆記シートの着脱を行うことが可能な電子黒板が開示されている。
【先行技術文献】
【特許文献】
【０００４】
【特許文献１】特表２００３−５１１７６１号公報
【特許文献２】特表２００３−５２９８５３号公報
【特許文献３】特開２００９−１００４３０号公報
【発明の概要】
【発明が解決しようとする課題】
【０００５】
従来では、スキャン機能やプリント機能を有しないボード上に記入した内容の印刷物又は電子データを配布する場合には、カメラで記入部分を撮影するなどして記録する必要があった。しかし、この場合には、１画面分を歪みが無いように撮影範囲に収めたりピント合わせしたりといった調整に手間がかかる。そこで、本発明は、ユーザの任意のタイミングに基づき、シートに書き込んだ内容を１ページ分のデータとして確定し記録することが可能な電子ペンシステム及びそのプログラムを提供することを主な目的とする。
【課題を解決するための手段】
【０００６】
本発明に係る電子ペンシステムは、コード化パターンを読取り、手書きストロークに関する記入情報を生成する電子ペンと、前記電子ペンから前記記入情報を受信するコンピュータ装置と、コード化パターンが印刷され、前記電子ペンにより記入がなされる記入エリアと、前記記入エリアに記入された内容を確定するための確定マークとを有するシートとを備える電子ペンシステムであって、前記電子ペンは、前記記入エリアに付されたコード化パターンを読み取った場合に、当該コード化パターンに基づく記入情報を記憶する記憶手段と、前記確定マークに付されたコード化パターンを読み取った場合に、前記記憶手段に記憶された記入情報を前記コンピュータ装置に送信する送信手段とを備え、前記コンピュータ装置は、前記電子ペンから送信された記入情報に基づき、手書きストロークを再現した１ページ分の表示情報を生成して記憶する処理手段を備えることを特徴とする。
【０００７】
この構成により、電子ペンは、シートの記入エリアに付されたコード化パターンを読み取った場合に、当該コード化パターンに基づく記入情報を記憶手段に記憶させ、シートの確定マークに付されたコード化パターンを読み取った場合に、前記記憶手段に記憶された記入情報をコンピュータ装置に送信する。そして、コンピュータ装置は、電子ペンから送信された記入情報に基づき、手書きストロークを再現した１ページ分の表示情報を生成して記憶する。ここで、「１ページ分の表示情報」とは、所定の描画アプリケーションなどにより１ページ分の表示を行うのに必要な情報を指す。このように、電子ペンシステムは、シートに記入エリアと確定マークとを設けることで、ユーザが任意のタイミングで電子ペンにより確定マークをタップした場合に、記入エリアに記入された内容を１ページ分の表示情報としてコンピュータ装置に生成し記憶させることができる。従って、シート上に記入されたインクをユーザがイレイサーで消去した場合であっても、コンピュータ装置は、生成した表示情報に基づき記入内容を表示したり、記入内容の印刷指示の実行をしたりすることが可能となる。
【０００８】
上記電子ペンシステムの一態様では、前記コンピュータ装置の前記処理手段は、前記記入情報を受信した場合、前記記入情報に基づく手書きストロークを描画した画像データを生成し、当該画像データに通し番号であるページ番号を設定したスライドの情報を、前記１ページ分の表示情報として記憶する。このようにすることで、ユーザは、記入エリアに記入して確定した記入内容を、通し番号が付されたスライドの情報としてコンピュータ装置に記憶させることができる。
【０００９】
上記電子ペンシステムの他の一態様では、前記コンピュータ装置の前記処理手段は、前記記入情報を受信した後、前記電子ペンに所定の信号を送信し、前記電子ペンの前記記憶手段は、前記所定の信号を前記電子ペンが受信した場合に、記憶した記入情報を削除する。この態様により、好適に、電子ペンは、記憶手段が容量不足になることなく、かつ適切に記入情報を送信することができる。
【００１０】
上記電子ペンシステムの他の一態様では、前記コンピュータ装置の前記処理手段は、前記記入情報を受信した後、前記電子ペンに所定の信号を送信し、前記電子ペンの前記記憶手段は、前記所定の信号を前記電子ペンが受信した場合に、記憶した記入情報に上書き可能である旨のフラグを付し、前記送信手段は、前記確定マークに付されたコード化パターンを読み取った場合に、前記記憶手段に記憶された記入情報のうち、前記フラグが付されていない記入情報を前記コンピュータ装置に送信する。この態様によっても、好適に、電子ペンは、記憶手段が容量不足になることなく、かつ、適切に記入情報を送信することができる。
【００１１】
上記電子ペンシステムの他の一態様では、前記シートは、１又は複数の記入エリアをそれぞれ有する複数のシート領域が設けられ、前記電子ペンの前記送信手段は、読み取ったコード化パターンが示す記入エリアが属するシート領域と、前回読み取ったコード化パターンが示す記入エリアが属するシート領域とが異なる場合、前記記憶手段に記憶された記入情報を前記コンピュータ装置に送信する。このように、電子ペンシステムは、異なるシート領域の記入エリアに記入が開始された場合には、前のシート領域の記入エリアへの記入が完了したと判定し、表示情報を生成することで、ユーザが確定マークを選択し忘れた場合等にも好適にページを確定することができる。
【００１２】
上記電子ペンシステムの他の一態様では、前記記入エリアの各々に対し確定マークが設けられ、前記コンピュータ装置の前記処理手段は、前記確定マークが前記電子ペンにより選択されたことにより、複数の記入エリアへの記入情報を受信したときには、選択された前記確定マークに対応する記入エリアへの記入情報に基づき、手書きストロークを再現した１ページ分の表示情報を生成する。これにより、同一のシート領域内の記入エリアが並行して電子ペンにより記入された場合であっても、コンピュータ装置は、確定マークが選択された記入エリアの記入内容に対する１ページ分の表示情報を生成することができる。
【００１３】
上記電子ペンシステムの他の一態様では、前記コンピュータ装置の前記処理手段は、前記確定マークが前記電子ペンにより選択されていない場合に、複数の記入エリアに対する記入情報を受信したときには、前記複数の記入エリアの各々に対応する記入エリアへの記入情報に基づく手書きストロークを描画した画像データを生成し、当該画像データの各々に通し番号であるページ番号を設定したスライドの情報を、前記１ページ分の表示情報としてそれぞれ生成する。これにより、コンピュータ装置は、異なるシート領域への記入情報を受信し、かつ当該記入情報が複数の記入エリアへの記入を示す場合には、それぞれの記入エリアに対してページ番号を付したスライドを生成することができる。
【００１４】
上記電子ペンシステムの他の一態様では、前記記入情報は、時刻情報を含み、前記コンピュータ装置の前記処理手段は、前記複数の記入エリアの各々の記入情報に含まれる時刻情報に基づき、前記複数の記入エリアの各々に対して通し番号であるページ番号を設定する。これにより、電子ペンシステムは、好適に、ページ番号を設定することができる。
【００１５】
上記電子ペンシステムの他の一態様では、前記コンピュータ装置の前記処理手段は、前記記入情報を受信した後、前記電子ペンに所定の信号と、前記表示情報の生成に用いた記入情報を特定する情報とを同時又は異なるタイミングで前記電子ペンに送信し、前記電子ペンの前記記憶手段は、前記所定の信号を受信した場合に、前記記入情報を特定する情報から特定される前記記憶手段に記憶された記入情報を削除する。これにより、電子ペンは、複数の記入エリアへ並列的に記入がなされていた場合であっても、確定した記入内容に対応する記入情報のみを好適に削除することができる。
【００１６】
上記電子ペンシステムの他の一態様では、前記シートを有し、前面に向ける前記シート領域を切り替え可能なボードを備える。これにより、好適に、ユーザは、第１シート領域と第２シート領域とをそれぞれ使用することができる。
【００１７】
上記電子ペンシステムの他の一態様では、前記電子ペンの前記送信手段は、前記記入情報と共に、ページを確定する旨の情報を前記コンピュータ装置へ送信し、前記コンピュータ装置の前記処理手段は、前記ページを確定する旨の情報を受信した場合に、当該ページを確定する旨の情報と共に受信した記入情報に基づき、手書きストロークを再現した１ページ分の表示情報を生成する。この態様によっても、好適に、コンピュータ装置は、ユーザの操作に基づき、１ページ分の表示情報を生成することができる。
【００１８】
上記電子ペンシステムの他の一態様では、前記電子ペンの前記送信手段は、通し番号であるページ番号を、前記ページを確定する旨の情報に含めて前記コンピュータ装置へ送信し、前記コンピュータ装置の前記処理手段は、前記記入情報に基づく手書きストロークを描画した画像データを生成し、当該画像データに受信した前記ページ番号を設定したスライドの情報を、前記１ページ分の表示情報として記憶する。この態様によっても、好適に、コンピュータ装置は、ユーザの操作に基づき、１ページ分の表示情報を生成することができる。
【００１９】
本発明に係る電子ペンシステムの別の態様では、コード化パターンを読取り、手書きストロークに関する記入情報を生成する電子ペンと、前記電子ペンから前記記入情報を受信するコンピュータ装置と、コード化パターンが印刷され、１又は複数の記入エリアをそれぞれ有する複数のシート領域を有するシートとを備える電子ペンシステムであって、前記電子ペンは、前記記入エリアに付されたコード化パターンを読み取った場合に、当該コード化パターンに基づく記入情報を記憶する記憶手段と、読み取ったコード化パターンが示す記入エリアが属するシート領域と、前回読み取ったコード化パターンが示す記入エリアが属するシート領域とが異なる場合、前記記憶手段に記憶された記入情報を前記コンピュータ装置に送信する送信手段とを備え、前記コンピュータ装置は、前記電子ペンから送信された記入情報に基づき、当該記入情報が示す記入エリアの各々に対し、手書きストロークを再現した１ページ分の表示情報を生成して記憶する処理手段を備える。
【００２０】
この態様により、電子ペンは、記入エリアに付されたコード化パターンを読み取った場合に、当該コード化パターンに基づく記入情報を記憶手段に記憶させ、読み取ったコード化パターンが示す記入エリアが属するシート領域と、前回読み取ったコード化パターンが示す記入エリアが属するシート領域とが異なる場合、前記記憶手段に記憶された記入情報をコンピュータ装置に送信する。コンピュータ装置は、電子ペンから送信された記入情報に基づき、当該記入情報が示す記入エリアの各々に対し、手書きストロークを再現した１ページ分の表示情報を生成する。この態様によっても、好適に、コンピュータ装置は、異なるシート領域へユーザが記入を開始した場合に、前の記入対象であったシート領域の各記入エリアの記入内容を、それぞれ１ページ分の表示情報として生成して記憶することができる。
【００２１】
本発明に係る電子ペンシステムのさらに別の態様では、コンピュータ装置と、コード化パターンを読取り、手書きストロークに関する記入情報を生成し、生成した記入情報を即時に前記コンピュータ装置に送信する電子ペンと、コード化パターンが印刷され、前記電子ペンにより記入がなされる記入エリアと、前記記入エリアに記入された内容を確定するための確定マークとを有するシートとを備える電子ペンシステムであって、前記コンピュータ装置は、前記電子ペンから送信された記入情報を記憶する記憶手段と、前記確定マークが前記電子ペンにより選択されたと判断した場合に、前記記憶手段に記憶した記入情報のうち、前記確定マークに対応する記入エリアへの記入情報に基づき、手書きストロークを再現した１ページ分の表示情報を生成して記憶する処理手段とを備える。
【００２２】
この態様により、電子ペンは、生成した記入情報を即時にコンピュータ装置に送信し、コンピュータ装置は、電子ペンから送信された記入情報を記憶し、確定マークが電子ペンにより選択されたと判断した場合に、記憶した記入情報のうち、確定マークに対応する記入エリアへの記入情報に基づき、手書きストロークを再現した１ページ分の表示情報を生成して記憶する。この態様によっても、好適に、コンピュータ装置は、確定マークが電子ペンにより選択された場合に、前の記入対象であったシート領域の各記入エリアの記入内容を、それぞれ１ページ分の表示情報として生成して記憶することができる。
【００２３】
本発明に係る電子ペンシステムのさらに別の態様では、コンピュータ装置と、コード化パターンを読取り、手書きストロークに関する記入情報を生成し、生成した記入情報を即時に前記コンピュータ装置に送信する電子ペンと、コード化パターンが印刷され、１又は複数の記入エリアをそれぞれ有する複数のシート領域を有するシートとを備える電子ペンシステムであって、前記コンピュータ装置は、前記電子ペンから送信された記入情報を記憶する記憶手段と、受信した記入情報が示す記入エリアが属するシート領域と、前回受信した記入情報が示す記入エリアが属するシート領域とが異なる場合、前記記憶手段に記憶された記入情報に基づき、当該記入情報が示す記入エリアの各々に対し、手書きストロークを再現した１ページ分の表示情報を生成して記憶する処理手段とを備える。
【００２４】
この態様により、コンピュータ装置は、電子ペンから送信された記入情報を記憶し、受信した記入情報が示す記入エリアが属するシート領域と、前回受信した記入情報が示す記入エリアが属するシート領域とが異なる場合、記憶した記入情報に基づき、当該記入情報が示す記入エリアの各々に対し、手書きストロークを再現した１ページ分の表示情報を生成する。この態様によっても、好適に、コンピュータ装置は、異なるシート領域へユーザが記入を開始した場合に、前の記入対象であったシート領域の各記入エリアの記入内容を、それぞれ１ページ分の表示情報として生成して記憶することができる。
【００２５】
本発明に係るプログラムは、コード化パターンを読取り、手書きストロークに関する記入情報を生成する電子ペンと、前記電子ペンから前記記入情報を受信するコンピュータ装置と、コード化パターンが印刷され、前記電子ペンにより記入がなされる記入エリアと、前記記入エリアに記入された内容を確定するための確定マークとを有するシートとを備え、前記電子ペンは、前記記入エリアに付されたコード化パターンを読み取った場合に、当該コード化パターンに基づく記入情報を記憶する記憶手段と、前記確定マークに付されたコード化パターンを読み取った場合に、前記記憶手段に記憶された記入情報を前記コンピュータ装置に送信する送信手段とを有する電子ペンシステムの前記コンピュータ装置に搭載され記憶されるプログラムであって、前記電子ペンから送信された記入情報に基づき、手書きストロークを再現した１ページ分の表示情報を生成して記憶する処理手段として前記コンピュータ装置を機能させる。
【００２６】
上記プログラムの一態様では、前記処理手段は、前記記入情報を受信した場合、前記記入情報に基づく手書きストロークを描画した画像データを生成し、当該画像データに通し番号であるページ番号を設定したスライドの情報を、前記１ページ分の表示情報として記憶する。
【００２７】
上記プログラムの他の一態様では、前記処理手段は、前記記入情報を受信した後、前記電子ペンに所定の信号を送信し、前記電子ペンの前記記憶手段は、前記所定の信号を前記電子ペンが受信した場合に、記憶した記入情報を削除する。
【００２８】
上記プログラムの他の一態様では、前記処理手段は、前記記入情報を受信した後、前記電子ペンに所定の信号を送信し、前記電子ペンの前記記憶手段は、前記所定の信号を前記電子ペンが受信した場合に、記憶した記入情報に上書き可能である旨のフラグを付し、前記送信手段は、前記確定マークに付されたコード化パターンを読み取った場合に、前記記憶手段に記憶された記入情報のうち、前記フラグが付されていない記入情報を前記コンピュータ装置に送信する。
【００２９】
上記プログラムの他の一態様では、前記シートは、１又は複数の記入エリアをそれぞれ有する複数のシート領域が設けられ、前記電子ペンの前記送信手段は、読み取ったコード化パターンが示す記入エリアが属するシート領域と、前回読み取ったコード化パターンが示す記入エリアが属するシート領域とが異なる場合、前記記憶手段に記憶された記入情報を前記コンピュータ装置に送信し、前記処理手段は、前記電子ペンから送信された記入情報に基づき、手書きストロークを再現した１ページ分の表示情報を生成して記憶する。
【００３０】
上記プログラムの他の一態様では、前記記入エリアの各々に対し確定マークが設けられ、前記処理手段は、前記確定マークが前記電子ペンにより選択されたことにより、複数の記入エリアへの記入情報を受信したときには、選択された前記確定マークに対応する記入エリアへの記入情報に基づき、手書きストロークを再現した１ページ分の表示情報を生成する。
【００３１】
上記プログラムの他の一態様では、前記処理手段は、前記確定マークが前記電子ペンにより選択されていない場合に、複数の記入エリアに対する記入情報を受信したときには、前記複数の記入エリアの各々に対応する記入エリアへの記入情報に基づく手書きストロークを描画した画像データを生成し、当該画像データの各々に通し番号であるページ番号を設定したスライドの情報を、前記１ページ分の表示情報としてそれぞれ生成する。
【００３２】
上記プログラムの他の一態様では、前記記入情報は、時刻情報を含み、前記処理手段は、前記複数の記入エリアの各々の記入情報に含まれる時刻情報に基づき、前記複数の記入エリアの各々に対して通し番号であるページ番号を設定する。
【００３３】
上記プログラムの他の一態様では、前記処理手段は、前記記入情報を受信した後、前記電子ペンに所定の信号と、前記表示情報の生成に用いた記入情報を特定する情報とを同時又は異なるタイミングで前記電子ペンに送信し、前記電子ペンの前記記憶手段は、前記所定の信号を受信した場合に、前記記入情報を特定する情報から特定される前記記憶手段に記憶された記入情報を削除する。
【００３４】
上記プログラムの他の一態様では、前記電子ペンの前記送信手段は、前記記入情報と共に、ページを確定する旨の情報を前記コンピュータ装置へ送信し、前記処理手段は、前記ページを確定する旨の情報を受信した場合に、当該ページを確定する旨の情報と共に受信した記入情報に基づき、手書きストロークを再現した１ページ分の表示情報を生成する。
【００３５】
上記プログラムの他の一態様では、前記電子ペンの前記送信手段は、通し番号であるページ番号を、前記ページを確定する旨の情報に含めて前記コンピュータ装置へ送信し、前記処理手段は、前記記入情報に基づく手書きストロークを描画した画像データを生成し、当該画像データに受信した前記ページ番号を設定したスライドの情報を、前記１ページ分の表示情報として記憶する。
【００３６】
本発明に係るプログラムの別の態様では、コード化パターンを読取り、手書きストロークに関する記入情報を生成する電子ペンと、前記電子ペンから前記記入情報を受信するコンピュータ装置と、コード化パターンが印刷され、１又は複数の記入エリアをそれぞれ有する複数のシート領域を有するシートとを備える電子ペンシステムであって、前記電子ペンは、前記記入エリアに付されたコード化パターンを読み取った場合に、当該コード化パターンに基づく記入情報を記憶する記憶手段と、読み取ったコード化パターンが示す記入エリアが属するシート領域と、前回読み取ったコード化パターンが示す記入エリアが属するシート領域とが異なる場合、前記記憶手段に記憶された記入情報を前記コンピュータ装置に送信する送信手段とを備える電子ペンシステムの前記コンピュータ装置に搭載され実行されるプログラムであって、前記電子ペンから送信された記入情報に基づき、当該記入情報が示す記入エリアの各々に対し、手書きストロークを再現した１ページ分の表示情報を生成して記憶する処理手段として前記コンピュータ装置を機能させる。
【００３７】
本発明に係るプログラムのさらに別の態様では、コンピュータ装置と、コード化パターンを読取り、手書きストロークに関する記入情報を生成し、生成した記入情報を即時に前記コンピュータ装置に送信する電子ペンと、コード化パターンが印刷され、前記電子ペンにより記入がなされる記入エリアと、前記記入エリアに記入された内容を確定するための確定マークとを有するシートとを備える電子ペンシステムの前記コンピュータ装置に搭載され実行されるプログラムであって、前記電子ペンから送信された記入情報を記憶する記憶手段と、前記確定マークが前記電子ペンにより選択されたと判断した場合に、前記記憶手段に記憶した記入情報のうち、前記確定マークに対応する記入エリアへの記入情報に基づき、手書きストロークを再現した１ページ分の表示情報を生成して記憶する処理手段として前記コンピュータ装置を機能させる。
【００３８】
本発明に係るプログラムのさらに別の態様では、コンピュータ装置と、コード化パターンを読取り、手書きストロークに関する記入情報を生成し、生成した記入情報を即時に前記コンピュータ装置に送信する電子ペンと、コード化パターンが印刷され、１又は複数の記入エリアをそれぞれ有する複数のシート領域を有するシートと
を備える電子ペンシステムの前記コンピュータ装置に搭載され実行されるプログラムであって、前記電子ペンから送信された記入情報を記憶する記憶手段と、受信した記入情報が示す記入エリアが属するシート領域と、前回受信した記入情報が示す記入エリアが属するシート領域とが異なる場合、前記記憶手段に記憶された記入情報に基づき、当該記入情報が示す記入エリアの各々に対し、手書きストロークを再現した１ページ分の表示情報を生成して記憶する処理手段として前記コンピュータ装置を機能させる。
【００３９】
これらのプログラムをコンピュータ装置にインストールして機能させることで、本発明に係る電子ペンシステムを構成させることができる。
【発明の効果】
【００４０】
本発明によれば、電子ペンシステムは、ユーザが電子ペンにより確定マークをタップすること等により、対応する記入エリアに記入された内容を１ページ分の表示情報としてコンピュータ装置が記憶することができる。従って、ユーザは、シートの記入エリアに記入した内容を、任意のタイミングで確定して電子データ化することができる。
【図面の簡単な説明】
【００４１】
【図１】第１実施形態における電子ペンシステムのシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】コンピュータ装置等の機能ブロック図の一例である。
【図６】座標定義情報のデータ構造を示す概略図である。
【図７】第１実施形態における処理フローを示すフローチャートである。
【図８】第１シート領域上に記入がなされた場合の回転式ボードの状態及びコンピュータ装置の表示画面を示す。
【図９】第１シート領域の確定マークがタップされた際の回転式ボードの状態及びコンピュータ装置の表示画面を示す。
【図１０】ボード操作ボタンが押下された直後の回転式ボードの状態及びコンピュータ装置の表示画面を示す。
【図１１】第２シート領域上に記入がなされた後の回転式ボードの状態及びコンピュータ装置の表示画面を示す。
【図１２】図１１で確定マークがタップされ、さらにユーザが操作ボタンを押下した後の回転式ボードの状態及びコンピュータ装置の表示画面を示す。
【図１３】図１２から再び第１シート領域に記入を行った場合の回転式ボードの状態及びコンピュータ装置の表示画面を示す。
【図１４】図１３において確定マークがタップされることなくボード操作ボタンが押下され、第２シート領域への記入が開始された際の回転式ボードの状態及びコンピュータ装置の表示画面を示す。
【図１５】変形例に係る回転式ボードを示す。
【図１６】第２実施形態における電子ペンシステムのシステム構成図である。
【図１７】第２実施形態において記憶手段が記憶する座標定義情報のデータ構造を示す。
【図１８】第２実施形態における処理フローを示すフローチャートである。
【図１９】第１シート領域の記入エリアへ記入がなされた際の回転式ボードの状態及びコンピュータ装置の表示画面を示す。
【図２０】第２シート領域の記入エリアに電子ペンにより記入がなされた場合の回転式ボードの状態及びコンピュータ装置の表示画面を示す。
【発明を実施するための形態】
【００４２】
以下、図面を参照しながら、本発明の実施の形態である第１実施形態及び第２実施形態について順に説明する。
【００４３】
＜第１実施形態＞
まず、本発明に係る第１実施形態について説明する。
【００４４】
［電子ペンシステムの構成］
図１は、第１実施形態に係る電子ペンシステムの構成を示す。図１に示すように、第１実施形態に係る電子ペンシステムは、ユーザが使用する電子ペン１と、電子ペン１から記入情報等を受信して処理するコンピュータ装置２と、ドットパターンが印刷されたシート４を有する回転式ボード３とを備える。以下、構成要素ごとに説明する。
【００４５】
（回転式ボード）
まず、回転式ボード３について図１を参照して説明する。回転式ボード３は、２画面分のホワイトボードとして使用でき、ボードの水平方向（図１の矢印の方向）へ回転可能に連続したシート４と、シート４を回転させるための機構（不図示）を操作するためのボード操作ボタン６とを備える。
【００４６】
シート４は、フィルムや紙等の基材の略全面にドットパターンが印刷され、基材の一部に確定マーク５の絵柄が印刷され、基材の表面にマーカーインクで文字等のストロークを記入したり、記入したストロークをイレイサーで消去したりできる材料により表面加工を施してあるシートである。ドットパターンは、電子ペン１が読み取れるように赤外線を吸収するカーボンを含んだインキにより印刷される。確定マーク５の絵柄は、赤外域に吸収性を持たないインキで印刷される。回転式ボード３は、ボード操作ボタン６が押下された場合、シート４を１画面分スクロール（別の言い方では「フィード」、「スライド」）させ、次に記入する面を表面に移動させる。以後では、シート４の領域のうち、ボード操作ボタン６が最初に押下される前に回転式ボード３の前面に位置している１画面分の領域を、「第１シート領域」と呼び、ボード操作ボタン６が最初に押下される前に回転式ボード３の背面に位置している１画面分の領域を「第２シート領域」と呼ぶ。第１シート領域及び第２シート領域は、本発明における「シート領域」の一例である。
【００４７】
第１シート領域及び第２シート領域には、それぞれ確定マーク５１、５２（５）の領域が設けられている。確定マーク５は、ユーザが第１シート領域又は第２シート領域へ電子ペン１により記入を行い、当該シート領域へ記入した内容を１ページ分の表示情報として確定させたい場合に、電子ペン１によりタップされ、ドットパターンが読み取られる領域である。ユーザは、第１又は第２シート領域に記入を行った後、さらに、他方の第２又は第１シート領域に記入を行いたい場合に、確定マーク５１又は５２を電子ペン１によりタップした後、ボード操作ボタン６を押下する。以後では、第１シート領域のうち、確定マーク５１の領域以外の領域を「記入エリア４１」と呼び、第２シート領域のうち、確定マーク５２の領域以外の領域を「記入エリア４２」と呼ぶ。なお、ユーザは、第１シート領域または第２シート領域で確定マーク５を電子ペン１によりタップした後、当該第１又は第２シート領域に付されたインクをイレイサーで消去し、続けて同じシート領域に記入を行ってもよい。
【００４８】
なお、シート４は、ボードの垂直方向にスクロールする態様であってもよい。また、回転式ボード３は、手動でシート４を回転させる方式であってもよい。また、回転式ボード３は、ボード基材の表面、裏面のそれぞれにシート４が貼付されており、表面、裏面ともにホワイトボードとして使用できるボードを、手動で上下又は左右に回転させることで記入する面を切り替える態様であってもよい。
【００４９】
（ドットパターン）
続いて、シート４に印刷されたアノト方式のドットパターン（コード化パターン）について図２及び図３を用いて説明する。図２は、ドットパターンのドットとそのドットが変換される値との関係を説明する図である。図２に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、シート４上の位置座標が決定されるよう構成されている。
【００５０】
図３（ａ）は、あるドットパターンの配列を示している。図３（ａ）に示すように、縦横約２ｍｍの範囲内に６×６個のドットが、シート４上のどの部分から６×６ドットを取ってもユニークなパターンとなるように配置されている。これら３６個のドットにより形成されるドットパターンは位置座標（例えば、そのドットパターンがシート４上のどの位置にあるのか）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００５１】
（電子ペン）
次に、電子ペン１について図４を用いて説明する。図４は、電子ペン１の構造を示す概略図である。図４に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３をシート４に当接させて、ストローク（手書きストローク）を記入する。ここで、電子ペン１のペン先部１０３がシート４に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００５２】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１によりシート４に文字やマークを書いたりタップしたりする際にペン先部１０３からインクカートリッジ１０４を通じて与えられる圧力、即ち筆圧を検出し、その値をプロセッサ１０８へ伝送する。
【００５３】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１でシート４に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、ユーザが１つのストロークを記入し終えて電子ペン１をシート４から離すと、圧力センサ１０７は、所定値以上の筆圧が検出されなくなることでペンアップを検出する。すると、プロセッサ１０８は、ペンダウンからペンアップまでの間に生成したストロークデータ（後述する座標属性情報の集合）とペンＩＤとを関連付けて、記入情報としてメモリ１０９に記憶させる。
【００５４】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、シート４上のペン先部１０３近傍に向けて赤外線を照明する。その領域は、ペン先部１０３がシート４に接触する位置とはわずかにずれている。ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、シート４に確定マーク５が印刷されている場合でも、絵柄を印刷したインクは赤外域に吸収性を持たないため、プロセッサ１０８は、ドットパターンを認識することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００５５】
プロセッサ１０８は、ユーザの記入が行われる間、ＣＭＯＳカメラ１０６によって供給される画像データのドットパターンから、ユーザが記入するストローク（筆跡）のシート４上における位置座標（以後、単に「座標データ」または「座標値」とも呼ぶ。）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法により位置座標データを演算する。位置座標は、後述するドットパターンアドレス及びドットパターンアドレス内の位置座標で表せる。なお、プロセッサ１０８は、ドットパターンに対向する電子ペン１の角度に起因するドットの画像上の配列を補正する回転補正処理機能を備えている。そして、プロセッサ１０８は、リアルタイムクロック１１０から発信される現在時刻（タイムスタンプ：記入された時刻情報）、筆圧データ及び位置座標データを関連付ける。以後、これらの関連付けたデータを、まとめて「座標属性情報」と呼ぶ。なお、シート４における６×６のドットパターンは、シート４内で重複することはないため、ユーザが電子ペン１で文字等を記入すると、記入された位置がシート４のどの位置に当たるかを、プロセッサ１０８による座標演算により特定することができる。
【００５６】
メモリ１０９には、電子ペン１を識別するための「ｐｅｎ０１」といったペンＩＤ、ペン製造者番号、ペンソフトウェアのバージョン等のプロパティ情報が記憶されている。また、メモリ１０９は、ペンＩＤと、ペンダウンからペンアップまでの間に生成した座標属性情報（時刻情報（タイムスタンプ）と、筆圧データと、座標データ）とを関連付けて、記入情報として記憶する。さらに、メモリ１０９は、確定マーク５１及び確定マーク５２に割当てられたドットパターンが示す位置座標の範囲と電子ペン１が実行すべき処理（機能）との関連付け情報（機能定義情報）を記憶する。
【００５７】
プロセッサ１０８は、読み取ったドットパターンから演算した座標値が確定マーク５に割当てられたドットパターンの座標範囲にある場合、メモリ１０９に記憶した記入情報を１ページ分の記入情報として確定すべくコンピュータ装置２へ送信する処理を実行する。また、プロセッサ１０８は、読み取ったドットパターンから演算した座標値と、その直前に演算した座標値とから、両者のドットパターンアドレスが異なることを検知した場合、言い換えると、両者が異なるシート領域に対応するドットパターンの座標範囲にある場合についても同様に、メモリ１０９に記憶した記入情報を１ページ分の記入情報として確定すべくコンピュータ装置２へ送信する。また、プロセッサ１０８は、コンピュータ装置２に送信済みの記入情報をメモリ１０９から削除する。これらの処理については、［処理フロー］のセクションでさらに詳しく説明する。
【００５８】
（コンピュータ装置）
次に、コンピュータ装置２について説明する。コンピュータ装置２は、ハードウェアとして、電子ペン１とのデータ通信が可能なアンテナ装置、ＣＰＵ等のプロセッサ、ＲＯＭやＲＡＭといったメモリ、マウスやキーボード等で構成される。なお、コンピュータ装置２は、ディスプレイも備えるパーソナルコンピュータ等で構成されてもよい。図５は、コンピュータ装置２の機能ブロック図である。コンピュータ装置２は、機能的には、送受信手段２１、プリンター（不図示）に接続して印刷指示を送信する出力手段２２、マウスやキーボードといった入力手段２３、処理手段２４、記憶手段２５、及び表示手段２６を備える。送受信手段２１は、アンテナ受信回路等により構成され、電子ペン１から記入情報を受信し、処理手段２４に伝送する。
【００５９】
処理手段２４は、ＣＰＵ等のプロセッサによって構成され、コンピュータ装置２の全体の制御を行う。具体的に、処理手段２４は、送受信手段２１により電子ペン１から受信した記入情報を、１ページ分の記入情報として記憶手段２５に記憶させると共に、１ページ分の記入情報に対してページを識別するための通し番号であるページ番号を設定し、当該ページ番号に対応するスライドを新規に作成する。ここで、「スライド」は、所定のビューアアプリケーションにより表示される１ページ分の表示情報を指す。詳細には、処理手段２４は、受信した記入情報に基づくストローク画像を描画して、描画したストローク画像に前述のページ番号を設定したスライドを、新規のスライドファイルとして又はスライドファイルに追加して記憶手段２５に記憶させる。スライドの大きさは、Ａ４ヨコ等を規定値として構成しても良く、ユーザが所望するサイズや向きを所定の選択肢から選択して設定したり任意のサイズを入力して設定したりできるように構成しても良い。
【００６０】
また、処理手段２４は、第１シート領域の記入エリア４１のドットパターンにおける位置座標をスライドにかかる座標系に変換するための座標変換関数と、第２シート領域の記入エリア４２のドットパターンにおける位置座標に変換するための座標変換関数を予め求め、記憶手段２５に記憶させる。さらに、処理手段２４は、記入情報を正常に受信したことを示す応答信号を送受信手段２１により電子ペン１に送信するように構成しても良い。この場合、電子ペン１は、コンピュータ装置２から当該応答信号を受信してから、送信済みの記入情報をメモリ１０９から消去するよう構成するとよい。
【００６１】
記憶手段２５は、ＲＯＭやＲＡＭといったメモリによって構成される。記憶手段２５は、ディスプレイ３Ａ，３Ｂによって表示させる表示画面を生成するアプリケーションのプログラムを記憶する。また、記憶手段２５は、処理手段２４の処理命令により、電子ペン１から受信した記入情報をページ番号と関連づけてペンＩＤごとに記憶したり、プログラムの実行により生成される所定のデータを記憶したりする。
【００６２】
また、記憶手段２５は、ドットパターンが印刷されたシート４の各領域のドットパターンの座標範囲（座標領域）と、当該座標領域が属するアドレスを示すドットパターンアドレスと、第１シート領域又は第２シート領域のいずれであるかを示すシート領域番号と、記入エリア又は機能エリアのいずれであるかを示すエリア種別との関連付け情報である座標定義情報を記憶する。図６（Ａ）は、記憶手段２５が記憶する座標定義情報のデータ構造を示す。ここで、「機能エリア」とは、電子ペン１に所定の処理を実行させるトリガーとなるエリアを指し、本実施形態では確定マーク５のエリアを示す。また、各座標領域は、一例として、矩形の角の位置座標（Ｘｎ，Ｙｎ）、高さ（Ｈ）、幅（Ｗ）で規定される。
【００６３】
図６（Ａ）に示すように、記憶手段２５は、それぞれ、記入エリア４１、４２、確定マーク５１、５２の各々に割当てられたドットパターンの座標領域等を示す座標定義情報を予め記憶する。これにより、コンピュータ装置２は、記入情報を受信した場合に、記入情報に含まれる座標データが何れの座標領域に含まれるかによって、いずれのエリアに記入されたストロークに関する記入情報であるかを認識することが可能となる。
【００６４】
［処理フロー］
次に、第１実施形態の電子ペンシステムによる処理フローについて説明する。図７に示す処理フローは、電子ペン１により記入情報が生成されるごとに繰り返し実行される。
【００６５】
ユーザが、記入エリアに対し電子ペン１で文字等の記入又はタップをすると、電子ペン１は、ドットパターンを読み取って、当該ドットパターンが示す座標値を演算する（ステップＳ１０１）。次に、電子ペン１は、演算した座標値が、確定マーク５に割当てられたドットパターンの座標範囲内であるか否か判定する（ステップＳ１０２）。そして、座標値が確定マーク５に割当てられたドットパターンの座標範囲外である場合には（ステップＳ１０２；Ｎｏ）、電子ペン１は、演算した座標値に対応するシート領域と、その直前に演算した座標値に対応するシート領域とが異なるか否か判定する（ステップＳ１０３）。これにより、電子ペン１は、記入対象が第１シート領域から第２シート領域へ、又は第２シート領域から第１シート領域へと切り替わったか否か判定する。そして、座標値が前回と同一のシート領域の範囲内にある場合（ステップＳ１０３；Ｎｏ）、電子ペン１は、記入情報を生成してメモリ１０９に記憶する（ステップＳ１０４）。
【００６６】
一方、座標値が確定マーク５に割当てられたドットパターンの座標範囲内である場合には（ステップＳ１０２；Ｙｅｓ）、または、座標値が前回と異なるシート領域の範囲内にある場合には（ステップＳ１０３；Ｙｅｓ）、即ち、記入対象のシート領域が切り替わった場合には、電子ペン１は、メモリ１０９に記憶している全ての記入情報をコンピュータ装置２へ送信する（ステップＳ１０５）。そして、電子ペン１は、送信済みの記入情報をメモリ１０９から削除する（ステップＳ１０６）。
【００６７】
コンピュータ装置２では、送受信手段２１が記入情報を受信すると、処理手段２４は、１ページ分の記入情報として記入情報に含まれる座標属性情報をペンＩＤ毎に記憶手段２５に記憶させる（ステップＳ２０１）。次に、処理手段２４は、記憶した１ページ分の座標属性情報に含まれる位置座標データを、記憶手段２５に予め記憶してある座標変換関数を用いて、スライドの領域での位置座標データに変換する（ステップＳ２０２）。そして、処理手段２４は、変換した座標データに基づくストロークを描画してスライドの画像データを生成し、通し番号のページ番号を設定して新規のスライドとして記憶手段２５に記憶させると共に、当該新規のスライドを表示手段２６に表示させる（ステップＳ２０３）。ここで、処理手段２４は、最新ページ番号の初期値をゼロとして、最新ページ番号に１だけ加算した数値を、今回使用するページ番号としてスライドデータに設定すると共に、設定したページ番号を最新ページ番号として記憶手段２５に更新して記憶させる。そして、処理手段２４は、記憶する対象となるスライドデータのページ番号が「１」の場合には、即ち、アプリケーション開始後に最初に生成されたスライドである場合には、当該スライドの情報を新規のスライドファイルとして記憶手段２５に記憶させ、それ以外の場合には、記憶されているスライドファイルに新規のスライドの情報を追加し、追加後のスライドファイルを記憶手段２５に更新して記憶させる。
【００６８】
なお、コンピュータ装置２は、ステップＳ２０１の後またはステップＳ２０３の後などの所定のタイミングで、記入情報を受信した旨の応答信号を電子ペン１に送信することとし、電子ペン１は、当該応答信号を受信したうえで、ステップＳ１０６の送信済み記入情報の削除を実行することとしてもよい。この場合、電子ペン１は、当該応答信号を所定時間内に受信しない又はコンピュータ装置２から受信エラーである旨の応答信号を受信することで、ステップＳ１０５で送信した記入情報を、再度、コンピュータ装置２へ送信することとしてもよい。
【００６９】
［表示例］
次に、第１実施形態において、ユーザの電子ペン１による操作に基づく回転式ボード３の状態遷移及びコンピュータ装置２の表示画面の遷移と電子ペンシステムの処理の具体例について、図７のフローチャート及び図８〜図１４を参照して説明する。なお、図８以降において、シート４上に表示されている「第１シート領域」、「第２シート領域」、ページ番号が「１」であることを示す「Ｐ１」、及びページ番号が「２」であることを示す「Ｐ２」等の各文字は、説明便宜上付されているものであり、実際には表示されない。
【００７０】
図８は、第１シート領域上に電子ペン１により記入がなされた場合の回転式ボード３の状態及びコンピュータ装置２の表示画面を示す。図８に示すように、回転式ボード３の第１シート領域の記入エリア４１に電子ペン１によりストロークが記入されると、電子ペン１では、記入されたストロークに関する記入情報を生成してメモリ１０９に記憶していく（ステップＳ１０１〜Ｓ１０４参照）。
【００７１】
図９は、図８の状態から第１シート領域の確定マーク５１が電子ペン１によりタップされた際の回転式ボード３の状態及びコンピュータ装置２の表示画面を示す。電子ペン１は、第１シート領域の確定マーク５１がタップされたことを検出すると（ステップＳ１０２参照）、メモリ１０９に記憶された記入情報を、コンピュータ装置２へ送信する（ステップＳ１０５参照）。そして、電子ペン１は、送信済みの記入情報をメモリ１０９から消去する（ステップＳ１０６参照）。
【００７２】
コンピュータ装置２は、電子ペン１より記入情報を受信すると、１ページ分の記入情報として当該記入情報に含まれる座標属性情報をペンＩＤ毎に記憶手段２５に記憶させる（ステップＳ２０１参照）。また、コンピュータ装置２は、受信した記入情報に含まれる座標データを、記入エリア４１の位置座標からスライドの位置座標に変換する座標変換処理を行う（ステップＳ２０２参照）。そして、コンピュータ装置２は、座標変換後の座標データに基づいて、記入エリア４１に記入されたストロークを描画してスライドの画像データを生成し、最新ページ番号の初期値ゼロに１を加算したページ番号「１」をスライドデータに設定して、新規のスライドファイルとして記憶手段２５に記憶させると共に、当該新規のスライドを表示手段２６に表示させる（ステップＳ２０３）。このときコンピュータ装置２は、最新ページ番号を「１」に更新して記憶する。
【００７３】
図１０は、図９の状態からボード操作ボタン６が押下されてシート４がスクロールされている途中の回転式ボード３の状態及びコンピュータ装置２の表示画面を示す。ユーザがボード操作ボタン６を押下した場合、図１０に示すように、シート４が左方向に自動スクロールされて、第１シート領域が回転式ボード３の背面に移動していき、第２シート領域が前面に移動してくる。なお、ボード操作ボタン６が押下されただけでは、第１シート領域の記入エリア４１に記入されたストロークに関する記入情報は、電子ペン１からコンピュータ装置２に送信されない。
【００７４】
図１１は、第２シート領域上に電子ペン１により記入がなされ、第２シート領域の確定マーク５２が電子ペン１によりタップされた際の回転式ボード３の状態及びコンピュータ装置２の表示画面を示す。回転式ボード３の第２シート領域の記入エリア４２に電子ペン１によりストロークが記入されると、電子ペン１では、記入されたストロークに関する記入情報を生成してメモリ１０９に記憶していく（ステップＳ１０１〜Ｓ１０４参照）。電子ペン１は、第２シート領域の確定マーク５２がタップされたことを検出すると（ステップＳ１０２参照）、メモリ１０９に記憶された記入情報を、コンピュータ装置２へ送信してから削除する（ステップＳ１０５、Ｓ１０６参照）。
【００７５】
コンピュータ装置２は、電子ペン１より記入情報を受信すると、当該記入情報に含まれる座標属性情報及びペンＩＤを１ページ分の記入情報として記憶手段２５に記憶させる（ステップＳ２０１参照）。また、コンピュータ装置２は、受信した記入情報に含まれる座標データを、記入エリア４２の位置座標からスライドの位置座標に変換する座標変換処理を行う（ステップＳ２０２参照）。そして、コンピュータ装置２は、座標変換後の座標データに基づいて、記入エリア４２に記入されたストロークを描画してスライドの画像データを生成し、最新ページ番号に１加算したページ番号「２」をスライドデータに設定して新規のスライドとして、ページ番号「１」のスライドが記憶されているスライドファイルに当該新規のスライドを追加して、記憶手段２５に更新して記憶させると共に、当該新規のスライド（ページ番号「２」のスライド）を表示手段２６に表示させる（ステップＳ２０３参照）。このときコンピュータ装置２は、最新ページ番号を「２」に更新して記憶する。
【００７６】
図１２は、図１１の状態からユーザがボード操作ボタン６を押下してシート４がスクロールされた後の回転式ボード３の状態及びコンピュータ装置２の表示画面を示す。図１２では、再び第１シート領域が前面に配置している。なお、ここでは、図８で電子ペン１により第１シート領域に記入されたマーカーインクがイレイサーで消去されずに残っているものとする。
【００７７】
このとき、第１シート領域の記入エリア４１にストロークを新たに記入することなくユーザが電子ペン１により確定マーク５１をタップしても、電子ペン１は、ページを確定する対象となる記入情報がメモリ１０９に記憶されていないことから、記入情報の送信を行わない。また、この場合、コンピュータ装置２は、それまで表示しているページ番号「２」のスライドから表示を更新しない。このとき、電子ペン１またはコンピュータ装置２は、操作エラーをユーザに通知してもよい。例えば、電子ペン１からコンピュータ装置２に操作エラー信号を送信して、コンピュータ装置２が画像表示や音声出力などによるエラー報知を行ってもよく、電子ペン１が光や音声や振動でエラー報知を行う出力手段をさらに有し、電子ペン１が当該出力手段によりエラー報知を行ってもよい。
【００７８】
図１３は、図１２から再びユーザが記入エリア４１に電子ペン１により記入を行い、確定マーク５１を電子ペン１によりタップした場合の回転式ボード３の状態及びコンピュータ装置２の表示画面を示す。まず、図１２の状態から、ユーザは、第１シート領域に前回記入されたストロークのマーカーインクをイレイサーで消去する。その後、回転式ボード３の第１シート領域の記入エリア４１にユーザが電子ペン１によりストロークを記入すると、電子ペン１は、記入されたストロークに関する記入情報を生成してメモリ１０９に記憶していく。次に、電子ペン１は、第１シート領域の確定マーク５１がタップされたことを検出すると、メモリ１０９に記憶された記入情報をコンピュータ装置２へ送信する。そして、コンピュータ装置２は、記入情報を受信すると、記入エリア４１に記入された筆跡を再現したページ番号「３」のスライドを生成して、スライドファイルを更新して記憶手段２５に記憶させたり、当該ページ番号「３」のスライドを表示手段２６に表示させるなどの所定の処理を行う。
【００７９】
なお、記入エリア４１に前回記入されたページ番号「１」のスライドに対応するストロークのインクをイレイサーで消去せずに記入エリア４１上に電子ペン１により追記がなされた場合であっても、確定マーク５１が電子ペン１によりタップされた場合にコンピュータ装置２へ送信される記入情報は、追記したストロークに関する記入情報のみで、ページ番号「１」のスライドに対応するストロークの記入情報は、既に正常に送信されてメモリ１０９から消去されているため送信されない。
【００８０】
図１４は、図１３において記入エリア４１に電子ペン１により新たな記入が行われた後、確定マーク５１がタップされることなくボード操作ボタン６が押下され、第２シート領域への記入が開始された際の回転式ボード３の状態及びコンピュータ装置２の表示画面を示す。図１４では、再び第２シート領域が前面に配置されている。なお、ユーザは、第２シート領域が前面に移動してきた際、前に記入されたストロークのマーカーインクが第２シート領域上に残っていれば、イレイサーで消去する。
【００８１】
そして、回転式ボード３の第２シート領域の記入エリア４２に電子ペン１によりストロークが記入されると、電子ペン１は、読み取ったドットパターンから演算した座標値に対応するシート領域番号と、その直前に演算した座標値に対応するシート領域番号とが異なることから、記入対象となるシート領域が変わったことを認識する（ステップＳ１０３参照）。そして、電子ペン１は、メモリ１０９に記憶されている記入エリア４１に記入されたストロークに関する記入情報をコンピュータ装置２へ送信してから削除する（ステップＳ１０５、Ｓ１０６参照）。なお、電子ペン１は、記入エリア４２に記入されたストロークに関する記入情報を生成して、メモリ１０９に記憶していく。そして、図１３において確定マーク５１がタップされた場合と同様に、コンピュータ装置２は、記入情報を受信すると、記入エリア４１に記入された筆跡を再現したページ番号「３」のスライドを生成して、スライドファイルを更新して記憶手段２５に記憶させたり、ページ番号「３」のスライドを表示手段２６に表示させるなどの所定の処理を行う。一方、電子ペン１は、記入エリア４２に記入されたストロークに関する記入情報を生成して、メモリ１０９に記憶していく。そして、電子ペン１は、第２シート領域の確定マーク５２がタップされたことを検出すると、メモリ１０９に記憶された記入情報をコンピュータ装置２へ送信する。
【００８２】
［第１実施形態の電子ペンシステムによる作用効果］
第１実施形態の電子ペンシステムによれば、電子ペンは、シート４の記入エリアに付されたドットパターンを読み取った場合に、当該ドットパターンに基づく記入情報をメモリ１０９に記憶し、シート４の確定マーク５に付されたドットパターンを読み取った場合に、メモリ１０９に記憶された記入情報をコンピュータ装置２に送信する。そして、コンピュータ装置２は、電子ペン１から送信された記入情報に基づき、記入エリアでの筆跡を再現したスライドを生成して記憶手段２５に記憶させる。このように、電子ペンシステムは、シート４に記入エリアと確定マーク５とを設けることで、ユーザが任意のタイミングで電子ペン１により確定マーク５をタップした場合に、記入エリアに記入された内容を１ページ分の表示情報（スライド）としてコンピュータ装置２に記憶させることができる。従って、シート４上に記入されたインクをユーザがイレイサーで消去した場合であっても、コンピュータ装置２は、記憶したスライドに基づき記入内容を表示したり、記入内容の印刷指示を実行したりすることが可能となる。
【００８３】
また、シート４は、ボード操作ボタン６により位置を切り替え可能な第１シート領域と第２シート領域とを有し、電子ペン１は、読み取ったドットパターンが示す記入エリアが属するシート領域と、前回読み取ったドットパターンが示す記入エリアが属するシート領域とが異なる場合、記憶した記入情報をコンピュータ装置２に送信し、コンピュータ装置２は、受信した記入情報に基づき、前のシート領域の記入エリアに記入された内容を１ページ分の表示情報（スライド）として記憶させる。このように、電子ペンシステムは、異なるシート領域の記入エリアに記入が開始された場合には、前のシート領域の記入エリアへの記入が完了したと判定することで、確定マーク５をユーザがタップし忘れた場合等にも好適にページを確定してスライドを生成することができる。
【００８４】
［第１実施形態の変形例］
次に、第１実施形態の変形例について説明する。以下の変形例は、任意に組み合わせて上述の第１実施形態に適用してもよい。
【００８５】
（変形例１）
電子ペン１は、確定マーク５をタップしたことを検知した場合又は異なるシート領域に記入がなされたことを検知した場合に、記入情報のみを送信したが、本発明が適用可能な構成はこれに限定されない。
【００８６】
これに代えて、電子ペン１は、記入情報に関連付けて、ページを確定する旨の情報（「ページ確定情報」とも呼ぶ。）をコンピュータ装置２に送信してもよい。この場合、確定マーク５１、５２をタップしたことを検知した場合又は異なるシート領域の記入エリアに記入がなされたことを検知した場合に、電子ペン１は記入情報及び検知した内容を示す情報を含むページ確定情報をコンピュータ装置２に送信し、コンピュータ装置２は、ページ確定情報を受信すると、ページ確定情報と共に受信した記入情報を対象にスライドを生成する。また、電子ペン１は、ページ確定情報にページ番号の情報を含めてもよい。この場合、電子ペン１は、記入情報の送信時にページ番号を算出する処理を行い、記入情報に関連付けて、ページ番号を含むページ確定情報をコンピュータ装置２へ送信する。
【００８７】
（変形例２）
電子ペン１は、確定マーク５をタップしたことを検知した場合又は異なるシート領域に記入がなされたことを検知した場合に、記入情報をまとめて送信したが、これに代えて、逐次、生成した記入情報をコンピュータ装置２へ送信し続けてもよい。
【００８８】
この場合、コンピュータ装置２は、例えば、座標定義情報を参照し、受信した記入情報に基づき、確定マーク５が電子ペン１によりタップされたか否か、及び、異なるシート領域に電子ペン１により記入がなされたか否かを判定する。なお、図６（Ａ）では、シート領域番号によって異なるドットパターンアドレスを有するドットパターンがシート４の各領域に印刷されているが、変形例２の場合これに代えて、図６（Ｂ）に示すように、シート領域番号によらず同じドットパターンアドレスを有するドットパターンがシート４の各領域に印刷されていてもよい。図６（Ａ）に示す座標定義情報の場合、コンピュータ装置２は、ドットパターンアドレスのみから対応するシート領域番号を判別できる。図６（Ｂ）に示す座標定義情報の場合、コンピュータ装置２は、ドットパターンアドレス及び座標領域から対応するシート領域番号を判別する。そして、コンピュータ装置２は、確定マーク５が電子ペン１によりタップされたと判断した場合、又は、異なるシート領域に電子ペン１により記入がなされたと判断した場合に、受信した記入情報のうち未だスライドに描画されていない記入情報を対象にスライドを生成する。
【００８９】
（変形例３）
電子ペン１は、送信した記入情報をメモリ１０９から削除する代わりに、上書き可能な記入情報であることを示すフラグを、送信済みの記入情報に付与しても良い。この場合、電子ペン１は、次に記入情報をコンピュータ装置２へ送信する場合には、上述のフラグが付されていない記入情報のみを送信する。
【００９０】
（変形例４）
電子ペンシステムは、第１シート領域及び第２シート領域の両方に記入可能な回転式ボード３に代えて、第１シート領域のみを有する（即ち記入エリアが一つのみ存在する）ボードを備えてもよい。この場合、ユーザは、第１シート領域で確定マーク５１を電子ペン１によりタップした後、第１シート領域に付されたマーカーインクをイレイサーで消去し、再び第１シート領域に記入を行う。そして、この場合、電子ペン１は、第１シート領域の確定マーク５１がタップされたことを検知した場合に、コンピュータ装置２へ記入情報を送信し、コンピュータ装置２は、受信した記入情報を対象にしたスライドを生成する。この場合、図７のフローチャートでは、電子ペン１は、ステップＳ１０２で確定マーク５がタップされていないと判断した場合に（ステップＳ１０２；Ｎｏ）、ステップＳ１０３の処理を行わず、直ちにステップＳ１０４で記入情報を生成してメモリ１０９に記憶する。
【００９１】
（変形例５）
回転式ボード３は、確定マーク５１、５２（５）を有しなくてもよい。この場合、ユーザは、ページを確定したい場合には、ボード操作ボタン６を押下して第１シート領域と第２シート領域との位置を切り替えて記入エリア内に電子ペン１により記入を行う。そして、この場合、電子ペン１は、図７のフローチャートにおいて、ステップＳ１０１の後、ステップＳ１０２の処理を行わず、直ちに異なるシート領域に記入がなされたか否かをステップＳ１０３で判定し、異なるシート領域に記入がなされた場合にのみ（ステップＳ１０３；Ｙｅｓ）、ステップＳ１０５で記入情報をコンピュータ装置２へ送信する。
【００９２】
（変形例６）
確定マーク５は、記入エリア外に設けられていてもよい。図１５は、変形例に係る回転式ボード３Ａを示す。図１５に示すように、回転式ボード３Ａでは、確定マーク５はシート４上の記入エリア外に設けられている。或いは、確定マーク５は回転式ボード３の筐体部分、例えば、ボード操作ボタン６の上部などの枠部分に設けられてもよい。この態様により、電子ペンシステムは、記入エリアへの電子ペン１による記入時に、ユーザが誤って確定マーク５上に記入してしまうことに起因して不要にページを確定してしまうのを抑制することができる。
【００９３】
（変形例７）
コンピュータ装置２は、電子ペン１から記入情報を受信して生成したスライドを表示手段２６に表示させたが、これに限定されず、生成したスライドを表示手段２６に表示させることなく、生成したスライドのスライドファイルを記憶手段２５に記憶させるのみでもよい。
【００９４】
（変形例８）
上記実施形態において、電子ペン、ドットパターン（コード化パターン）、記入情報に、アノト方式を用いたが、アノト方式に限られなくともよい。
【００９５】
＜第２実施形態＞
次に、本発明に係る第２実施形態について説明する。図１６は、第２実施形態に係る電子ペンシステムの構成を示す。第２実施形態では、シート４の１画面分の領域（第１シート領域及び第２シート領域）それぞれに複数（ここでは３つ）の記入エリア及び確定マーク５が設けられている点で、第１実施形態と異なる。第２実施形態と第１実施形態とで同様の点は、適宜その説明を省略する。以後では、図１６に示すように、３つの記入エリアを、左側から順に、「記入エリアＡ」、「記入エリアＢ」、「記入エリアＣ」と表記する。また、記入エリアＡ〜Ｃには、それぞれ、当該記入エリアに記入した内容を１ページ分の表示情報として確定させるための確定マーク５Ａ〜５Ｃの領域が設けられている。
【００９６】
第２実施形態では、後述するように、電子ペン１で１つの記入エリアに続けて記入して対応する確定マーク５をタップした後、別の記入エリアに続けて記入して対応する確定マーク５をタップすることを繰り返す使用態様の他、複数の記入エリアへ並行して電子ペン１により書込みを行い、任意のタイミングでページ確定したい任意の記入エリアに対応する確定マーク５を電子ペン１によりタップする使用態様であってもよい。
【００９７】
まず、第２実施形態においてコンピュータ装置２の記憶手段２５が記憶する座標定義情報について説明する。図１７は、第２実施形態において記憶手段２５が記憶する座標定義情報のデータ構造を示す。以後では、記入エリア４１Ａ〜４１Ｃ及び確定マーク５１Ａ〜５１Ｃは、それぞれ第１シート領域の記入エリアＡ〜Ｃ及び確定マーク５Ａ〜５Ｃを示し、記入エリア４２Ａ〜４２Ｃ及び確定マーク５２Ａ〜５２Ｃは、それぞれ第２シート領域の記入エリアＡ〜Ｃ及び確定マーク５Ａ〜５Ｃを示すものとする。また、第１シート領域のうち、記入エリア４１Ａ及び確定マーク５１Ａの領域をエリア番号「Ａ１」とし、記入エリア４１Ｂ及び確定マーク５１Ｂの領域をエリア番号「Ｂ１」とし、記入エリア４１Ｃ及び確定マーク５１Ｃの領域をエリア番号「Ｃ１」とする。同様に、第２シート領域のうち、記入エリア４２Ａ及び確定マーク５２Ａの領域をエリア番号「Ａ２」とし、記入エリア４２Ｂ及び確定マーク５２Ｂの領域をエリア番号「Ｂ２」とし、記入エリア４２Ｃ及び確定マーク５２Ｃの領域をエリア番号「Ｃ２」とする。
【００９８】
図１７に示すように、記憶手段２５は、それぞれ、記入エリア４１Ａ〜４１Ｃ、確定マーク５１Ａ〜５１Ｃ、記入エリア４２Ａ〜４２Ｃ、確定マーク５２Ａ〜５２Ｃに割当てられたドットパターンの座標領域等を示す座標定義情報を予め記憶する。これにより、コンピュータ装置２は、記入情報を受信した場合に、いずれのエリアに記入されたストロークに関する記入情報であるかを認識したり、どの記入エリアと確定マーク５が対応するかをエリア番号に基づいて特定したりすることが可能となる。
【００９９】
次に、第２実施形態において電子ペン１のプロセッサ１０８が、確定マーク５に割当てられたドットパターンを読み取った場合の処理について説明する。プロセッサ１０８は、読み取ったドットパターンから演算した座標値が確定マーク５に割当てられたドットパターンの座標範囲にある場合、どの確定マーク５であるかを示す情報、言い換えると、どの記入エリアへの記入情報を１ページ分の記入情報として確定すべきかを示す情報（例えば演算した座標値または機能定義情報より特定するエリア番号）を含むページ確定情報を生成する。そして、生成したページ確定情報をメモリ１０９に記憶した記入情報と共にコンピュータ装置２へ送信する処理を実行する。また、プロセッサ１０８は、第１実施形態と同様に、記入対象のシート領域が切り替わったことを検知した場合には、メモリ１０９に記憶した記入情報をコンピュータ装置２へ送信する。さらに、プロセッサ１０８は、コンピュータ装置２から後述する削除指定情報を通信ユニット１１１により受信した場合には、メモリ１０９に記憶された記入情報のうち削除指定情報で示される記入情報を削除する。なお以降では、電子ペン１からコンピュータ装置２へ記入情報と共にページ確定情報が送信された場合と、記入情報のみが送信された場合とを区別する必要がないときは、簡便のため単に記入情報とだけ記載する。
【０１００】
次に、第２実施形態においてコンピュータ装置２の処理手段２４が、送受信手段２１により電子ペン１から記入情報を受信した場合の処理について説明する。処理手段２４は、受信した記入情報に含まれる座標属性情報を、及びページ確定情報が含まれる場合は、当該ページ確定情報を、ペンＩＤ毎に記憶手段２５に記憶させる。また、処理手段２４は、受信した記入情報にページ確定情報が含まれる場合、当該ページ確定情報に基づいて、受信した記入情報のうちどの記入エリアへの記入情報をページ確定すべきかを特定する。そして、特定した当該記入エリアへの記入情報のみを１ページ分の記入情報としてページ番号を設定し、当該ページ番号に対応するスライドを新規に作成する。
【０１０１】
一方、処理手段２４は、受信した記入情報にページ確定情報が含まれない場合は、受信した全ての記入情報をその記入エリア毎にページ確定すべき記入情報として特定する。そして、確定した記入エリア毎に、当該記入エリアへの記入情報を１ページ分の記入情報としてページ番号を設定し、当該ページ番号に対応するスライドを新規に作成する。この場合、処理手段２４は、例えば、予め定めた順番（例えば、記入エリアＡ、記入エリアＢ、記入エリアＣの順番）にページ番号を付与するようにしても良く、記入情報に含まれる時刻情報に基づきページ番号を付与するようにしてもよい。後者の場合には、処理手段２４は、例えば、各記入エリアへの記入情報が有する時刻情報のうち最新の時刻情報をそれぞれ抽出して比較し、現在時刻と離れた時刻を示す時刻情報に対応する記入エリアから順にページ番号を付与する。これにより、処理手段２４は、記入が完了した記入エリアから順番にページ番号を付すことができる。また、処理手段２４は、ページ確定済みの記入エリアへの記入情報を特定するためのデータ（「削除指定情報」と呼ぶ。）を生成して、生成した削除指定情報を電子ペン１に送信する。
【０１０２】
次に、第２実施形態において電子ペンシステムが行う処理について、図１８のフローチャートを参照して説明する。図１８に示す処理フローは、電子ペン１により記入情報が生成されるごとに繰り返し実行される。なお、図１８のステップＳ３０１〜Ｓ３０４、Ｓ４０４はそれぞれ、第１実施形態の処理フローで説明した図７のステップＳ１０１〜Ｓ１０４、Ｓ２０３と同様である。
【０１０３】
電子ペン１は、演算した座標値が確定マーク５に割当てられたドットパターンの座標範囲内である場合には（ステップＳ３０２；Ｙｅｓ）、ページ確定情報を生成して、メモリ１０９に記憶された全ての記入情報及び生成したページ確定情報をコンピュータ装置２へ送信する（ステップＳ３０５、Ｓ３０６）。一方、記入対象のシート領域が切り替わったことを検知した場合には（ステップＳ３０３；Ｙｅｓ）、電子ペン１は、メモリ１０９に記憶した記入情報をコンピュータ装置２へ送信する。
【０１０４】
コンピュータ装置２では、送受信手段２１が記入情報を受信すると、処理手段２４は、記入情報に含まれる座標属性情報等をペンＩＤ毎に記憶手段２５に記憶させる（ステップＳ４０１）。そして、処理手段２４は、受信した記入情報にページ確定情報が含まれていた場合には、当該ページ確定情報に基づき、図１７に示す座標定義情報を参照して、ページを確定する対象の記入エリアを特定する（ステップＳ４０２）。そして、処理手段２４は、該当する記入エリアに記入されたストロークに関する記入情報のみを対象にして、第１実施形態のステップＳ２０２、Ｓ２０３と同様の処理を行ってスライドを生成する（ステップＳ４０３、Ｓ４０４）。言い換えると、処理手段２４は、今回タップされた確定マーク５に対応する記入エリア以外の記入エリアに関する記入情報については、ページを確定する対象とせず、スライドを生成しない。一方、受信した記入情報にページ確定情報が含まれていない場合には、処理手段２４は、座標データに基づき、座標定義情報を参照して異なる記入エリアに記入された記入情報を区別し、該当する全ての記入エリアをページ確定する対象として（ステップＳ４０２）、記入エリアごとにスライドを生成する（ステップＳ４０３、Ｓ４０４）。
【０１０５】
次に、処理手段２４は、削除指定情報を生成して電子ペン１に送信する（ステップＳ４０５）。なお、コンピュータ装置２が削除指定情報を電子ペン１へ送信するタイミングは、ステップＳ４０２の後またはステップＳ４０３の後としてもよい。そして、電子ペン１は、第１実施形態のステップＳ１０６の処理に変えて、コンピュータ装置２から削除指定情報を受信した場合に、当該削除指定情報が示す、ページ確定済みの記入情報をメモリ１０９から消去する処理を実行する（ステップＳ３０７）。このとき、電子ペン１は、当該削除指定情報を所定時間内に受信しない又はコンピュータ装置２から受信エラーである旨の応答信号を受信することで、送信したページ確定情報や記入情報を再度コンピュータ装置２へ送信することとしてもよい。
【０１０６】
［表示例］
次に、第２実施形態において、ユーザの電子ペン１による操作に基づく回転式ボード３及びコンピュータ装置２の表示画面の遷移と電子ペンシステムの処理の具体例について、図１８のフローチャート及び図１９、図２０を参照して説明する。
【０１０７】
図１９は、第１シート領域の記入エリア４１Ａ〜４１Ｃへ電子ペン１により記入がなされ、確定マーク５１Ａがタップされた際の回転式ボード３の状態及びコンピュータ装置２の表示画面を示す。回転式ボード３の第１シート領域の記入エリア４１Ａに電子ペン１によりストロークが記入されると、電子ペン１は、記入されたストロークに関する記入情報を生成してメモリ１０９に記憶していく（ステップＳ３０１〜Ｓ３０４参照）。この際、ユーザは、記入エリア４１Ａと並行して記入エリア４１Ｂ、４１Ｃへ電子ペン１により記入しても良い。次に、電子ペン１は、確定マーク５１Ａがタップされたことを検出すると（ステップＳ３０２参照）、ページ確定情報を生成して、メモリ１０９に記憶された全ての記入情報（記入エリア４１Ａ、４１Ｂ、４１Ｃへの記入情報）及び生成したページ確定情報をコンピュータ装置２へ送信する（ステップＳ３０５、Ｓ３０６参照）。その後、電子ペン１は、コンピュータ装置２から、削除指定情報を受信すると、当該削除指定情報が示す記入エリア４１Ａへの記入情報のみをメモリ１０９から消去する（ステップＳ３０７参照）。
【０１０８】
コンピュータ装置２は、電子ペン１より記入情報及びページ確定情報を受信すると、当該記入情報に含まれる座標属性情報及びページ確定情報をペンＩＤ毎に記憶手段２５に記憶させる（ステップＳ４０１参照）。また、コンピュータ装置２は、受信したページ確定情報に基づき、確定マーク５１Ａに対応する記入エリア４１がページ確定すべき記入エリアであることを特定する（ステップＳ４０２参照）。次に、コンピュータ装置２は、受信した記入情報のうち記入エリア４１Ａへの記入情報をページ確定すべき対象として、その座標データを、記入エリア４１Ａの位置座標からスライドの位置座標に変換する座標変換処理を行う（ステップＳ４０３参照）。そして、コンピュータ装置２は、座標変換後の座標データに基づいてスライドの画像データを生成し、最新ページ番号の初期値ゼロに１を加算したページ番号「１」をスライドデータに設定して、新規のスライドファイルとして記憶手段２５に記憶させると共に、当該新規のスライドを表示手段２６に表示させる。このときコンピュータ装置２は、最新ページ番号を「１」に更新して記憶する。次に、コンピュータ装置２は、ページ確定済みの記入エリア４１への記入情報を特定するための削除指定情報を生成して、生成した当該削除指定情報を電子ペン１へ送信する（ステップＳ４０５参照）。
【０１０９】
図２０は、図１９において確定マーク５１Ａがタップされた後、確定マーク５１Ｂ、５１Ｃがタップされることなくボード操作ボタン６が押下され、かつ、第２シート領域の記入エリア４２Ａに電子ペン１により記入が開始された場合の回転式ボード３の状態及びコンピュータ装置２の表示画面を示す。図１９において前面に配置していた第１シート領域が回転式ボード３の背面に移動して、図２０では、第２シート領域が前面に配置されている。
【０１１０】
そして、回転式ボード３の第２シート領域の記入エリア４２Ａに電子ペン１によりストロークが記入されると、電子ペン１は、読み取ったドットパターンから演算した座標値に対応するドットパターンアドレスと、その直前に演算した座標値に対応するドットパターンアドレスとが異なることから、記入対象となるシート領域が変わったことを検知する（ステップＳ３０３参照）。そして、この場合、電子ペン１は、メモリ１０９に記憶された全ての記入情報（記入エリア４１Ｂ、４１Ｃへの記入情報）をコンピュータ装置２へ送信する（ステップＳ３０６参照）。また、電子ペン１は、記入エリア４２Ａに記入されたストロークに関する記入情報を生成し、メモリ１０９に記憶していく。
【０１１１】
コンピュータ装置２は、電子ペン１から受信した記入情報に確定マーク５への記入情報が含まれていないことから、記入情報の座標値が示す全ての記入エリア（記入エリア４１Ｂ、４１Ｃ）をページ確定の対象とする（ステップＳ４０２参照）。従って、コンピュータ装置２は、各記入エリア４１Ｂ、４１Ｃへの記入情報に対しそれぞれページ番号を設定し、そのページ番号のスライドを生成する（ステップＳ４０３、Ｓ４０４参照）。ここでは、コンピュータ装置２は、記入エリア４１Ａ、４１Ｂ、記入エリア４１Ｃの順番にページ番号を設定するものとする。よって、コンピュータ装置２は、記入エリア４１Ｂに対し、最新ページ番号「１」に１を加算したページ番号「２」のスライドを生成し、記入エリア４１Ｃに対し、更新した最新ページ番号「２」に１加算したページ番号「３」のスライドを生成する。そして、コンピュータ装置２は、生成したページ番号「２」、「３」のスライドをページ番号「１」のスライドに追加して、スライドファイルを更新して記憶する（ステップＳ４０４参照）。またコンピュータ装置２は、最新ページ番号を「３」に更新して記憶する。また、コンピュータ装置２は、最新ページ番号「３」のスライドを表示手段２６に表示させる。
【０１１２】
そして、コンピュータ装置２は、ページ確定済みの記入エリア４１Ｂ、４１Ｃへの記入情報を特定するための削除指定情報（この場合は受信した全ての記入情報であることを示すデータとしてもよい）を生成して電子ペン１へ送信する（ステップＳ４０５参照）。電子ペン１は、コンピュータ装置２から、削除指定情報を受信して、ページ確定した記入情報（即ち、ステップＳ３０６の処理でコンピュータ装置２へ送信した、記入エリア４１Ｂ、４１Ｃへの記入情報）をメモリ１０９から消去する。
【０１１３】
［第２実施形態の電子ペンシステムによる作用効果］
第２実施形態の電子ペンシステムによれば、第１シート領域及び第２シート領域の各々に対し、複数の記入エリア及び当該記入エリアに対応する確定マーク５が設けられおり、各記入エリアに記入された内容をそれぞれ１ページ分の表示情報（スライド）としてコンピュータ装置２に記憶させることができる。従ってユーザは、１つのシート領域の複数の記入エリアに対して並行して電子ペン１により記入を行うことができ、任意の順番でページを確定することができる。また、シート４上に記入されたインクをユーザがイレイサーで消去した場合であっても、コンピュータ装置２は、記憶したスライドに基づき記入内容を表示したり、記入内容の印刷指示の実行をしたりすることが可能となる。
【０１１４】
また、電子ペン１は、読み取ったドットパターンが示す記入エリアが属するシート領域と、前回読み取ったドットパターンが示す記入エリアが属するシート領域とが異なる場合、記入情報をコンピュータ装置２に送信し、コンピュータ装置２は、受信した記入情報に対応する各記入エリアに記入された内容をそれぞれ１ページ分の表示情報（スライド）として記憶させる。このように、電子ペンシステムは、異なるシート領域の記入エリアに記入が開始された場合には、前のシート領域の全ての記入エリアへの記入が完了したと判定してスライドの生成等を行うことで、確定マーク５をユーザが選択し忘れた場合等にも好適にページを確定することができる。
【０１１５】
［第２実施形態の変形例］
次に、第２実施形態の変形例について説明する。第２実施形態では、第１実施形態の変形例１〜８及び以下に述べる変形例９を任意に組み合わせて適用可能である。
【０１１６】
（変形例９）
第２実施形態の説明では、第１シート領域及び第２シート領域は、それぞれ記入エリアが縦に３分割されていたが、本発明は、第１シート領域及び第２シート領域における記入エリアの数や分割の形状や記入エリア同士のサイズの異同には限定されない。例えば、第１シート領域又は／及び第２シート領域は、横に記入エリアが分割されていてもよく、「田」の字形状に４分割されてもよい。また、第１シート領域と第２シート領域とで記入エリアの数や分割の形状等を異ならせても良い。さらに、ユーザに分かり易いように、記入エリアの区切りを示す枠線等をシート４に印刷しても良いし、隣接する記入エリアのシート４の地色を異ならせるようにしても良い。
【符号の説明】
【０１１７】
１…電子ペン
１０８…プロセッサ
１０９…メモリ
２…コンピュータ装置
２４…処理手段
２５…記憶手段
３、３Ａ…回転式ボード
４…シート
４１、４２…記入エリア
５、５１、５２…確定マーク
６…ボード操作ボタン
【図１】
2013134592.tif 000003
【図２】
2013134592.tif 000004
【図３】
2013134592.tif 000005
【図４】
2013134592.tif 000006
【図５】
2013134592.tif 000007
【図６】
2013134592.tif 000008
【図７】
2013134592.tif 000009
【図８】
2013134592.tif 000010
【図９】
2013134592.tif 000011
【図１０】
2013134592.tif 000012
【図１１】
2013134592.tif 000013
【図１２】
2013134592.tif 000014
【図１３】
2013134592.tif 000015
【図１４】
2013134592.tif 000016
【図１５】
2013134592.tif 000017
【図１６】
2013134592.tif 000018
【図１７】
2013134592.tif 000019
【図１８】
2013134592.tif 000020
【図１９】
2013134592.tif 000021
【図２０】
2013134592.tif 000022